(57)【要約】【課題】筆記具が不要なアンケート用紙を提供する。【解決手段】アンケート用紙１は、台紙２からなり、台紙２にはアンケートの内容を記した主題部３、個々の質問事項を記した質問部４ａ、４ｂ、４ｃ及び質問に対する回答の選択肢５ａ、６ａ、７ａ、８ａ、９ａ、１０ａが設けられ、さらに選択肢に対応した回答欄５ｂ、６ｂ、７ｂ、８ｂ、９ｂ、１０ｂが設けられている。回答欄の図形は無色または淡色の電子供与性染料前駆体、電子受容性化合物及びワニスを含有するスクラッチ発色用インキで印刷されており、回答者は回答欄を爪でこすり発色させる。【選択図】図１
2015168152.tif 000002
【特許請求の範囲】
【請求項１】
質問が記載された台紙に、前記質問に対する回答の選択肢が記載されており、回答者が選択肢を選択する回答欄に、無色または淡色の電子供与性染料前駆体、電子受容性化合物及びワニスを含有するスクラッチ発色用インキで図形を印刷することを特徴とするアンケート用紙。
【発明の詳細な説明】
【技術分野】
【０００１】
本発明は、アンケート用紙に関するものである。
【背景技術】
【０００２】
アンケートは、企業等が提供するサービス、商品等に対する顧客の反応の調査、あるいは行政の政策に対する市民の賛否等の調査に広く用いられている手法である。
アンケートの具体的な方法としては、調査人が電話や口頭で直接回答者に質問し、回答者に電話や口頭で回答してもらう方法があるが、質問事項があらかじめ書かれた用紙を調査人が回答者に配布し、回答者に回答を筆記具で記入してもらう方法もある。
【０００３】
具体的には、例えば用紙中に「当店のサービスは良好ですか？」という質問と、それに対して「良い」「悪い」という選択肢が書かれており、回答者はいずれかの選択肢に筆記具で丸をつけるか、チェックを入れるか等によって回答を行う。
このようなアンケート方法に用いられる用紙はアンケート用紙といわれ、以下のようなものが知られている。
【０００４】
すなわち、特許文献１には、アンケートに応える人に広告とは感じさせることなく、広告を伝達できるようにしたアンケート用紙であって、用紙が複数の区分に分けられており、前記複数の区分の少なくとも２つの区分は、伝達すべき情報が関連付けられており、且つ前記伝達すべき情報が関連付けられている２つの区分の中、一つの区分には、用紙に応える人にとっての豆知識情報となる質問が記載されており、他の一つの区分は、前記豆知識情報が記憶に刷り込まれた人にとって、前記豆知識を実現するための広告に関する質問が記載されているアンケート用紙が開示されている。
【先行技術文献】
【特許文献】
【０００５】
【特許文献１】特開２００４−０６２１２８号公報
【発明の概要】
【発明が解決しようとする課題】
【０００６】
しかしながら、このようなアンケート用紙を用いてアンケートを行う場合は、回答を記入するための筆記具及び筆記のための筆記台を、調査人があらかじめ用意しておく必要があるため、特に屋外でアンケートを行う際には筆記具、筆記台が不足する等の問題が生じていた。
また、筆記による回答は口頭での回答と比べて手間がかかるため、回答者がアンケートへの協力を拒む場合も多く、調査を行うために十分な回答者を確保することが困難であるという問題もあった。
【０００７】
本発明は、このような問題に鑑みてなされたもので、その目的は筆記具が不要なアンケート用紙を提供することにある。
【課題を解決するための手段】
【０００８】
前述した目的を達成するために、本発明は、質問が記載された台紙と、前記質問に対する回答の選択肢が記載され、その近傍に無色または淡色の電子供与性染料前駆体、電子受容性化合物及びワニスを含有するスクラッチ発色用インキで印刷された図形を具備することを特徴とするアンケート用紙である。
【０００９】
前記回答欄は、質問に対する意思表示を行えるよう、例えば選択肢の左右上下のいずれかに置かれる□または○という記号であるが、これに限定されることはなく、例えば☆のような記号でもよい。しかしながら、無色または淡色の電子供与性染料前駆体、電子受容性化合物及びワニスを含有するスクラッチ発色用インキで印刷された図形による回答欄は、回答前の状態では不可視であるので、回答欄の図形には、回答欄であることを示す図形を可視インキで印刷することが望ましい。
【００１０】
さらに、前記回答欄の内部に、回答の選択肢が記載されていてもよいし、選択肢自体を可視インキと、無色または淡色の電子供与性染料前駆体、電子受容性化合物及びワニスを含有するスクラッチ発色用インキとで構成してもよい。
【００１１】
本発明に用いる無色または淡色の電子供与性染料前駆体、電子受容性化合物及びワニスを含有するスクラッチ発色用インキは、例えば、特許第４７２８００１号公報に示されたものを使用することができる。無色または淡色の電子供与性染料前駆体、電子受容性化合物及びワニスを含有するスクラッチ発色用インキにより印刷された図形は、不可視であるが、爪などでこすると発色する。そのため、回答者が選択肢より回答を選択する場合、回答欄を爪などでこすると、容易にどの選択肢を選択したかが可視できる。
【発明の効果】
【００１２】
本発明によれば、アンケート用紙内に質問が記載された台紙と、前記質問に対する回答の選択肢が記載され、その近傍に無色または淡色の電子供与性染料前駆体、電子受容性化合物及びワニスを含有するスクラッチ発色用インキで印刷された回答欄を有しているため、回答の際に筆記具が不要であり、利便性が改善される。
【図面の簡単な説明】
【００１３】
【図１】アンケート用紙１を示す図。
【図２】アンケート用紙１の回答欄の５ｂ付近の断面図。
【図３】アンケート用紙１の回答欄の５ｂ付近を示す図。
【図４】アンケート用紙１の回答欄の５ｂ付近を示す図。
【図５】アンケート用紙２０を示す図。
【図６】アンケート用紙３０を示す図。
【発明を実施するための形態】
【００１４】
以下、図面に基づいて本発明に好適な実施形態を詳細に説明する。
図１は、第１の実施形態に係るアンケート用紙１を示す図である。
なお、アンケート用紙１は、来店した客に対する意識の調査をする際に用いることを想定したものである。
【００１５】
図１に示すように、アンケート用紙１は台紙２からなり、台紙２にはアンケートの内容を記した主題部３、個々の質問事項を記した質問部４ａ、４ｂ、４ｃが設けられている。
また、台紙２には、質問部４ｂに対する回答の選択肢を記した５ａ、６ａ、７ａが設けられ、質問部４ｃに対する回答の選択肢を記した選択肢８ａ、９ａ、１０ａが設けられている。
さらに、回答欄５ｂ、６ｂ、７ｂ、８ｂ、９ｂ、１０ｂには、それぞれ☆の記号が印刷されている。
なお、台紙２の材質には紙が用いられるが、プラスチック等を用いてもよい。
【００１６】
図２は、回答欄５ｂを含む１１ａ−１１ｂの部分断面図である。
回答欄５ｂには☆の記号が印刷されており、その枠１２は可視インキで構成され、☆の記号の内側１３は枠１２を埋めるように無色または淡色の電子供与性染料前駆体、電子受容性化合物及びワニスを含有するスクラッチ発色用インキを用いてベタ（網点１００％）印刷されている。
【００１７】
なお、回答欄６ｂ、７ｂ、８ｂ、９ｂ、１０ｂについても同様の構成となっている。
また、白色または淡色の台紙２を用いれば、上記スクラッチ発色用インキに、発色の判断に妨げのない程度に色材を含ませることで、上記スクラッチ発色用インキによる印刷部分の判別ができるようになるので、必ずしも枠１２を設けなくともよい。
さらに、回答欄５ｂ、６ｂ、７ｂ、８ｂ、９ｂ、１０ｂは選択肢５ａ、６ａ、７ａ、８ａ、９ａ、１０ａの上下左右側いずれでもよい。また、回答欄の記号は、記号に限らず文字や数字でもよい。
【００１８】
次に回答者がアンケート用紙１を用いてアンケートに回答する方法について説明する。
回答者は質問部４ａに書かれた質問である「Ｑ１ 当店のご感想をお聞かせください。」という質問に対し、例えば選択肢５ａの「おいしい」と回答したい場合は、図３に示す回答部５ｂの☆記号の部分を爪でこすり、図４の５ｃのように発色させる。
一方、選択肢７ａの「まずい」と回答したい場合は、図３に示す回答部７ｂの☆記号の部分を爪でこすり、同様に発色させる。
選択肢６ａ、８ａ、９ａ、１０ａに対する回答も同様に行うことができるが、説明は省略する。
【００１９】
このように、第１の実施形態によれば、回答者は選択肢５ａ、６ａ、７ａ、８ａ、９ａ、１０ａに対応する回答欄５ｂ、６ｂ、７ｂ、８ｂ、９ｂ、１０ｂを爪などでこすることにより、質問部４ａ、４ｂ、４ｃに書かれた質問に対する回答を行う。従って、従来のアンケート用紙と異なり、回答に際して筆記具は不要となり、利便性が改善される。
【００２０】
次に、第２の実施形態について説明する。
図５は、第２の実施形態に係るアンケート用紙２０を示す図である。なお、第２の実施形態において第１の実施形態に係るアンケート用紙１と同様の機能を果たす要素には同一の番号を付し、説明を省略する。
【００２１】
第２の実施形態に係るアンケート用紙２０は、公演の主催団体が、講演内容の評価を調査する際に用いることを想定したものである。
【００２２】
図５に示すように、アンケート用紙２０は台紙２からなり、台紙２にはアンケートの内容を記した主題部２３、個々の質問事項を記した質問部２４が設けられている。
また、台紙２には、質問部２４に対する回答の選択肢を記した２５ａ、２６ａが、回答欄２５ｂ、２６ｂの中に設けられている。
【００２３】
さらに、回答欄２５ｂ、２６ｂの楕円の内側を埋めるように無色または淡色の電子供与性染料前駆体、電子受容性化合物及びワニスを含有するスクラッチ発色用インキを用いてベタ（網点１００％）印刷されている。
【００２４】
回答者は回答欄２５ｂ、２６ｂの上を爪でこすると発色するため、回答者は筆記具を用いなくても回答を行うことができる。
なお、具体的な回答方法は、第１の実施形態と同様であるため、省略する。
【００２５】
このように、第２の実施形態によれば、回答者は選択肢２５ａ、２６ａに対応する回答欄２５ｂ、２６ｂを爪などでこすることにより、質問部２４に書かれた質問に対する回答を行う。従って、従来のアンケート用紙と異なり、回答に際して筆記具は不要となり、利便性が改善される。
【００２６】
次に、第３の実施形態について説明する。
図６は第３の実施形態に係るアンケート用紙３０を示す図である。なお、第３の実施形態において第１の実施形態に係るアンケート用紙１と同様の機能を果たす要素には同一の番号を付し、説明を省略する。
【００２７】
第３の実施形態に係るアンケート用紙３０は、食品を製造している企業が、新製品を消費者に試食してもらい、その製品に対する評価を調査する際に用いることを想定したものである。
【００２８】
図６に示すように、アンケート用紙３０は、台紙２からなり、台紙２にはアンケートの内容を記した主題部３３、個々の質問事項を記した質問部３４が設けられている。
また、台紙２には、質問部３４に対する回答の選択肢を白抜きの文字で記した３５ａ、３６ａが設けられており、白抜き文字の内側を埋めるように無色または淡色の電子供与性染料前駆体、電子受容性化合物及びワニスを含有するスクラッチ発色用インキを用いてベタ（網点１００％）印刷され、すなわち選択肢３５ａ、３６ａと同じ図形の回答欄３５ｂ、３６ｂが設けられている。
【００２９】
回答者は選択肢３５ａ、３６ａの上を爪でこすると発色するため、回答者は筆記具を用いなくても回答を行うことができる。
なお、具体的な回答方法は、第１の実施形態と同様であるため、省略する。
【００３０】
このように、第３の実施形態によれば、回答者は選択肢３５ａ、３６ａに対応する回答欄３５ｂ、３６ｂを爪などでこすることにより、質問部３４に書かれた質問に対する回答を行う。従って、従来のアンケート用紙と異なり、回答に際して筆記具は不要となり、利便性が改善される。
【００３１】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００３２】
１、２０、３０  アンケート用紙
２  台紙
３、２３、３３  主題部
４ａ、４ｂ、４ｃ、２４、３４  質問部
５ａ、６ａ、７ａ、８ａ、９ａ、１０ａ、２５ａ、２６ａ、３５ａ、３６ａ  選択肢
５ｂ、６ｂ、７ｂ、８ｂ、９ｂ、１０ｂ、２５ｂ、２６ｂ、３５ｂ、３６ｂ  回答欄
５ｃ  爪などでこすったあとに発色した回答欄
１１ａ  断面図の位置を示す線の始点
１１ｂ  断面図の位置を示す線の終点
１２  可視インキで構成された図形
１３  無色または淡色の電子供与性染料前駆体、電子受容性化合物及びワニスを含有するスクラッチ発色用インキで構成された図形
１４  （人間の手の）爪
【図１】
2015168152.tif 000003
【図２】
2015168152.tif 000004
【図３】
2015168152.tif 000005
【図４】
2015168152.tif 000006
【図５】
2015168152.tif 000007
【図６】
2015168152.tif 000008